(57)【要約】      （修正有）【課題】耳の裏側に痛みなくマスクを使用でき、シンプルなデザインのヘアアクセサリーとしても利用でき、強靭かつ伸縮性を有して紐掛け具本体の当接部位の形状に馴染み易く、紐掛け具本体の略全長にわたり、紐掛け具本体の当接部位への適度なツボ押し効果やマッサージ効果も得られるマスク紐用掛止具を提供する。【解決手段】マスク紐用掛止具１０は、横長で矩形状のマスク１１の左右一対の耳掛け紐１８を、使用者の頭部の後ろ側又は首の後ろ側で掛止するもので、所定パターンの円弧状の革隆起部が裏側に現出した革製の編みバンドからなる横長な紐掛け具本体１３を有し、かつ紐掛け具本体１３の長さ方向の両端部に紐掛け部１４が配されたものである。【選択図】図４
0003227749.tif 000002
【実用新案登録請求の範囲】
【請求項１】
横長で矩形状のマスクの左右一対の耳掛け紐を、使用者の頭部の後ろ側又は首の後ろ側で掛止するマスク紐用掛止具において、
所定パターンの円弧状の革隆起部が裏側に現出した革製の編みバンドからなる横長な紐掛け具本体を有し、かつ該紐掛け具本体の長さ方向の両端部に、対応する耳掛け紐が掛止される紐掛け部がそれぞれ取り付けられたことを特徴とするマスク紐用掛止具。
【請求項２】
前記紐掛け具本体は、マジック編みバンドである請求項１に記載のマスク紐用掛止具。
【請求項３】
前記紐掛け具本体は、厚さ１ｍｍ〜３ｍｍの革からなることを特徴とする請求項１又は請求項２に記載のマスク紐用掛止具。
【請求項４】
前記紐掛け具本体と前記紐掛け部とのうち、少なくとも一方の裏側に、ツボ押し突起が取り付けられたことを特徴とする請求項１〜請求項３のうち、何れか１項に記載のマスク紐用掛止具。
【請求項５】
前記紐掛け具本体と前記紐掛け部とのうち、少なくとも一方に血行促進用のマグネットが取り付けられたことを特徴とする請求項１〜請求項４のうち、何れか１項に記載のマスク紐用掛止具。
【請求項６】
前記各紐掛け部は、前記紐掛け具本体の長さ方向の両端部の表側に配設され、かつ対応する耳掛け紐をそれぞれ引っ掛ける一対の掛止板片と、該各掛止板片を前記紐掛け具本体の長さ方向の対応する端部にそれぞれ固定する固定ピンとを有し、
前記各固定ピンは、対応する掛止板片の中心より前記紐掛け具本体の長さ方向の外側に配されていることを特徴とする請求項１〜請求項５のうち、何れか１項に記載のマスク紐用掛止具。
【考案の詳細な説明】
【技術分野】
【０００１】
本考案は、デザイン性に優れて、マスク使用時（装着時）にマスクの紐を掛止するためのマスク紐用掛止具に関する。
【背景技術】
【０００２】
例えば、風邪の予防や花粉対策として使用されるマスク（衛生マスク）は、口や鼻を被う横長な矩形状のマスク本体と、このマスク本体の左，右両端部に配された一対のゴム製の耳掛け紐とを有している（例えば、特許文献１など）。
使用時には、口や鼻をマスク本体により被い、この状態を保持したままで、両耳に左右一対の耳掛け紐を引っ掛けることで、マスク本体を顔面に固定している。
【０００３】
しかしながら、従来のマスクにあっては、ゴム紐などの耳掛け紐によって耳の裏側が常時前方へ引っ張られていた。そのため、マスクを長時間装着していると、耳の裏側に痛みが発生することがあった。
特に、コロナウイルスや花粉症対策のためにマスクを使用している場合、長時間の使用になることが多く、この紐による耳の痛みが問題となっていた。
【０００４】
そこで、これを解消する従来技術として、マスクの耳掛け紐を耳に掛かるのではなく、左右の耳掛け紐を頭の後ろ側又は首の後ろ側で掛止する、例えば、特許文献１のマスク紐留め（マスク紐用掛止具）などが知られている。
この従来のマスク用係止具は、横長で平坦なアクリル板（剛体）からなる紐掛け具本体の長さ方向の両端部に、それぞれ紐掛止溝が形成されたものである。
【先行技術文献】
【特許文献】
【０００５】
【特許文献１】［令和２年６月８日検索］、インターネット＜ＵＲＬ：ｈｔｔｐｓ：／／ｂｏｏｔｈ．ｐｍ／ｊａ／ｉｔｅｍｓ／２０３４４１２＞
【考案の概要】
【考案が解決しようとする課題】
【０００６】
しかしながら、従来のマスク紐留めの紐掛け具本体は、このように１枚の平坦なアクリル板であったため、デザイン性が乏しく、かつ例えば後頭部で、紐掛け具本体の各紐掛止溝に各耳掛け紐をそれぞれ掛止したときに、硬い紐掛け具本体が後頭部に押し当てられ、痛みが発生していた。
また、このように紐掛け具本体が長さ調整不能なアクリル板であったため、販売に際しては、大判な“成人男性用”と、小判な“女性および子供用”の２種類を用意しなければならなかった。
【０００７】
そこで、考案者は鋭意研究の結果、紐掛け具本体の材料として革製の編みバンドを採用すれば、上述した課題がすべて解消されることを知見した。
しかも、紐掛け具本体の作製時には、強靭でありながらしなやかな複数本の革紐を編んだ際に、紐掛け具本体の裏側の略全長にわたり、所定パターンの円弧状の革隆起部が現出する。そのため、マスクの使用時、使用者が首を中心にして頭を動かすたびに、各耳掛け紐を介してマスク紐用掛止具がわずかに移動し、これに伴って各革隆起部も移動し、その結果、長時間マスク紐用掛止具が押し当てられていた当接部位への適度なツボ押し効果やマッサージ効果が得られることを知見し、この考案を完成させた。
【０００８】
この効果は、マスク紐用掛止具の使用時において、首の中心線からマスクまでの距離に比べて、首の中心線からマスク紐用掛止具までの距離が短かく、かつ仮に各耳掛け紐がゴム紐であっても、耳掛け紐は設定された耳までの距離より過剰に引っ張られた状態でマスク紐用掛止具に掛止されることから得られる、本考案に特有の効果である。例えば、革製の編みバンドが単なる髪留めの際には、頭と髪留めとが首を中心にして一体的に回動するだけであることから、このような効果は得られない。
【０００９】
本考案は、このような従来の問題点に艦がみなされたもので、耳の裏側に痛みを生じさせることなくマスクを使用でき、かつ革編み品であるため、シンプルなデザインのヘアアクセサリーとして利用可能であるとともに、強靭でありながら伸縮性を有して紐掛け具本体の当接部位の形状に馴染み易く、さらには紐掛け具本体の略全長にわたって、紐掛け具本体の当接部位への適度なツボ押し（指圧）効果やマッサージ効果も得られるマスク紐用掛止具を提供することを目的とする。
【課題を解決するための手段】
【００１０】
請求項１に記載の本考案は、横長で矩形状のマスクの左右一対の耳掛け紐を、使用者の頭部の後ろ側又は首の後ろ側で掛止するマスク紐用掛止具において、所定パターンの円弧状の革隆起部が裏側に現出した革製の編みバンドからなる横長な紐掛け具本体を有し、かつ該紐掛け具本体の長さ方向の両端部に、対応する耳掛け紐が掛止される紐掛け部がそれぞれ取り付けられたことを特徴とするマスク紐用掛止具である。
【００１１】
マスク（マスク本体）の素材は限定されない。例えば、不織布、織布、網布などを採用することができる。
マスクの種類は限定されない。例えば、各種の衛生マスク、医療用マスクなどを採用することができる。平坦な矩形マスクでも、立体マスクでもよい。
耳掛け紐の素材は限定されない。例えばゴム（ゴム紐）、織布、不織布、編布、スポンジなどでもよい。
【００１２】
耳掛け紐には、例えば、各種の長さ調整部材を取り付けてもよい。
紐掛け具本体の素材である革の素材は任意である。例えば、各種の天然皮革（牛革、馬革、豚革、やぎ革、ひつじ革など）を採用することができる。その他、各種の合成皮革でもよい。
紐掛け具本体の裏側に現出する、円弧状の革隆起部の所定パターンは任意である。革編みの種類や密度などに応じて適宜変更される。
紐掛け具本体が押し当てられる、頭部の裏側や首の裏側の具体的な部位は限定されない。例えば、頭部の裏側としては、頭頂部の裏側、後頭部などが挙げられる。
なお、紐掛け具本体は、直接、肌（頭皮）や髪に押し当ててもよいし、例えば、帽子などの介在物を介して押し当ててもよい。その他、バレッタに適用するなど、使用方法は限定されない。
【００１３】
革の厚さは限定されない。例えば、０．５ｍｍ〜５ｍｍでもよい。０．５ｍｍ未満では、革が薄肉すぎて、紐掛け具本体の裏側にその略全長にわたり所定ピッチで現出する、円弧状の革隆起部によるツボ押し効果およびマッサージ効果が少なく、また５ｍｍを超えれば革が厚すぎてしまい、編みバンドを編みにくい。
また、革の色彩や模様などは任意である。
【００１４】
特に、好ましい革の厚さは、１ｍｍ〜３ｍｍである。この範囲であれば、紐掛け具本体の略全長にわたる、紐掛け具本体の当接部位に対する高いツボ押し効果やマッサージ効果が得られるとともに、編みバンドも編みやすい。
紐掛け具本体の長さは任意である。例えば、５ｃｍ〜２０ｃｍ、好ましくは８ｃｍ〜１５ｃｍである。
紐掛け具本体の幅は任意である。例えば、１ｃｍ〜５ｃｍ、好ましくは１．５ｃｍ〜３ｃｍである。
【００１５】
各紐掛け部の構造は任意である。例えば、耳掛け紐が掛止される単なる紐掛止溝でもよいし、フックでもよい。さらには、耳掛け紐を引っ掛ける掛止板片と、この掛止板片を紐掛け具本体に固定する固定ピンとを有するものでもよい。
各紐掛け部の形成数は任意である。紐掛け具本体の長さ方向の両端部に１つずつでも、２つ以上ずつでもよい。
各紐掛け部が配される、紐掛け具本体の長さ方向の両端部の具体的な位置は限定されない。例えば、紐掛け具本体の表側でも、裏側でも、その外周側でもよい。
【００１６】
請求項２に記載の本考案は、前記紐掛け具本体は、マジック編みバンドである請求項１に記載のマスク紐用掛止具である。
マジック編み（トリック編み）の種類は任意である。例えば、３本マジック編み又は５本マジック編みでもよい。さらには、７本マジック編みでもよい。
【００１７】
請求項３に記載の本考案は、前記紐掛け具本体は、厚さ１ｍｍ〜３ｍｍの革からなることを特徴とする請求項１又は請求項２に記載のマスク紐用掛止具である。
【００１８】
請求項４に記載の本考案は、前記紐掛け具本体と前記紐掛け部とのうち、少なくとも一方の裏側に、ツボ押し突起が取り付けられたことを特徴とする請求項１〜請求項３のうち、何れか１項に記載のマスク紐用掛止具である。
【００１９】
ツボ押し突起の形成位置は紐掛け具本体の何れかであれば任意である。例えば、紐掛け具本体のみ、紐掛け部のみでも、これらの両方でもよい。
ツボ押し突起の形成数は任意である。１つでも２つ以上でもよい。
ツボ押し突起の形状は任意である。例えば、球体、楕円体、六面体、任意形状の立体などを採用することができる。
ツボ押し突起のサイズ（高さを含む）は任意である。
【００２０】
請求項５に記載の本考案は、前記紐掛け具本体と前記紐掛け部とのうち、少なくとも一方に血行促進用のマグネットが取り付けられたことを特徴とする請求項１〜請求項４のうち、何れか１項に記載のマスク紐用掛止具である。
【００２１】
マグネット（磁石）の種類は限定されない。例えば、永久磁石（自然磁石）でも電磁石でもよい。
マグネットの形状およびサイズは限定されない。
マグネットの使用数も限定されない。１つでも複数でもよい。例えば、各紐掛け部の裏側に配してもよい。
マグネットの磁束密度の大きさは任意である。例えば、８０ミリテスラ〜２００ミリテスラでもよい。
【００２２】
請求項６に記載の本考案は、前記各紐掛け部は、前記紐掛け具本体の長さ方向の両端部の表側に配設され、かつ対応する耳掛け紐をそれぞれ引っ掛ける一対の掛止板片と、該各掛止板片を前記紐掛け具本体の長さ方向の対応する端部にそれぞれ固定する固定ピンとを有し、前記各固定ピンは、対応する掛止板片の中心より前記紐掛け具本体の長さ方向の外側に配されていることを特徴とする請求項１〜請求項５のうち、何れか１項に記載のマスク紐用掛止具である。
【考案の効果】
【００２３】
請求項１に記載の考案によれば、マスク装着時には、左右一対の耳掛け紐を耳に掛かるのではなく、使用者の頭の後ろ側又は首の後ろ側で、紐掛け具本体の対応する紐掛け部にそれぞれ掛止する。これにより、耳の裏側に痛みを生じさせることなくマスクを着用することができる。
また、紐掛け具本体は、強靭でありながらしなやかな革紐を編むことで作製される。これにより、この紐掛け具本体の裏側の略全長にわたり、所定パターンの円弧状の革隆起部が現出する。
【００２４】
その結果、マスク使用時には、シンプルなデザインのヘアアクセサリーとして利用可能であるとともに、使用者が頭や首を動かすたびに、各耳掛け紐を介してマスク紐用掛止具がわずかに移動し、これに伴って各革隆起部も移動することにより、長時間マスク紐用掛止具が押し当てられた当接部位（例えば“風池のツボ”や“天柱のツボ”など）に対して、適度なツボ押し効果やマッサージ効果が得られる。
【００２５】
その理由は、マスク紐用掛止具の使用時において、首の中心線からマスクまでの距離に比べて、この首の中心線からマスク紐用掛止具までの距離が短かく、かつ仮に各耳掛け紐がゴム紐であっても、耳掛け紐は設定された耳までの距離より過剰に引っ張られた状態でマスク紐用掛止具に掛止されることから、上述したように使用者が頭や首を動かすたびに、各耳掛け紐を介してマスク紐用掛止具がわずかに移動し、これに伴い各革隆起部も若干移動するためである。
例えば、革製の編みバンドが単なる髪留めの場合には、頭と髪留めとが首を中心にして一体的に回動するだけであることから、このような効果は得られない。
【００２６】
また、請求項２に記載の考案によれば、紐掛け具本体がマジック編みバンドであるため、一般的な格子編みのものに比べて、紐掛け具本体の裏側に現出した円弧状の革隆起部が高まる。その結果、マスク紐用掛止具の当接部位に対するツボ押し効果やマッサージ効果が大きくなる。
【００２７】
さらに、請求項３に記載の考案によれば、紐掛け具本体が、厚さ１ｍｍ〜３ｍｍの革からなるため、紐掛け具本体の略全長にわたる、紐掛け具本体の当接部位に対する高いツボ押し効果やマッサージ効果が得られるとともに、革製の編みバンドも編みやすい。
【００２８】
さらにまた、請求項４に記載の本考案によれば、紐掛け具本体と前記紐掛け部とのうち、少なくとも一方の裏側に、ツボ押し突起が取り付けたため、マスク紐用掛止具が押し当てられていた当接部位に対してのツボ押し効果やマッサージ効果が大きくなる。
【００２９】
また、請求項５に記載の本考案によれば、紐掛け具本体と前記紐掛け部とのうち、少なくとも一方にマグネットを取り付けたため、磁力の影響によりマスク紐用掛止具が押し当てられた当接部位の周辺の血行が促進され、コリや痛みが軽減される。
【００３０】
さらに、請求項６に記載の本考案によれば、各固定ピンが、対応する掛止板片の中心よりやや紐掛け具本体の長さ方向の外側に配されているため、各耳掛け紐を対応する掛止円板に掛止したとき、耳掛け紐が外れにくい。
【図面の簡単な説明】
【００３１】
【図１】本考案の実施例１に係るマスク紐用掛止具のマスク着用前の状態を示す平面図である。
【図２】本考案の実施例１に係るマスク紐用掛止具のマスク着用前の状態を示す底面図である。
【図３】本考案の実施例１に係るマスク紐用掛止具の後頭部での使用状態を示す斜視図である。
【図４】本考案の実施例１に係るマスク紐用掛止具の首の裏側での使用状態を示す斜視図である。
【図５】本考案の実施例２に係るマスク紐用掛止具の底面図である。
【図６】本考案の実施例３に係るマスク紐用掛止具をバレッタに適用した状態を示す斜視図である。
【考案を実施するための形態】
【００３２】
以下、この考案の実施例を具体的に説明する。
【実施例】
【００３３】
図１〜図４に示すように、本考案の実施例１に係るマスク紐用掛止具１０は、マスク１１のうち、不織布からなる横長で矩形状のマスク本体１２の左右一対の耳掛け紐１８を、使用者の頭部の後ろ側又は首の後ろ側で掛止するためのものである。
【００３４】
以下、その構成を具体的に説明する。
図１に示すように、マスク紐用掛止具１０は、牛革製の編みバンドからなる横長な紐掛け具本体１３と、この紐掛け具本体１３の長さ方向の両端部の表側に配されて、対応する耳掛け紐１８がそれぞれ掛止される左右一対の紐掛け部１４とを有している。
【００３５】
紐掛け具本体１３は、厚さ１．５ｍｍ、長さ１０．５ｃｍ、幅２ｃｍの３本マジック編みのバンドで、幅が約７ｍｍの３本の革紐１３ａを三つ編み状に編み込んだものである。
そのため、紐掛け具本体１３の裏側には、３本マジック編み特有のパターンである複数本の円弧状の革隆起部１５が、互いに絡み合うよう現出している（図２を参照）。
【００３６】
各紐掛け部１４は、厚さ１．５ｍｍ、直径１８ｍｍの牛革からなる、左右一対の掛止円板（掛止板片）１６と、各掛止円板１６を紐掛け具本体１３の長さ方向の対応する端部にそれぞれ固定する、左右一対の短尺な固定ピン１７とを有している（図１を参照）。ここでは、各固定ピン１７を、対応する掛止円板１６の中心よりやや紐掛け具本体１３の長さ方向の外側に配している。これは、各耳掛け紐１４を対応する掛止円板１６に掛止したとき、耳掛け紐１４を外れにくくするためである。
【００３７】
次に、図１〜図４を参照して、本考案の実施例１に係るマスク紐用掛止具１０の使用方法を説明する。
マスク１１の装着時には、まず、左右一対の耳掛け紐１８を耳に掛かるのではなく、使用者の頭の後ろ側（後頭部、図３を参照）、又は、首の後ろ側（図４を参照）で、紐掛け具本体１３の対応する紐掛け部１４にそれぞれ掛止する。これにより、耳の裏側に痛みを生じさせることなくマスク１１を着用することができる。
【００３８】
また、紐掛け具本体１３は、強靭でかつしなやかな厚さ１．５ｍｍの革紐１３ａを編むことで作製されている。これにより、紐掛け具本体１３の裏側の略全長にわたっては、所定パターンの円弧状の革隆起部１５が現出する（図２を参照）。
そのため、マスク１１の使用時には、シンプルなデザインのヘアアクセサリーになるとともに、使用者が頭や首を動かすたびに、各耳掛け紐１８を介してマスク紐用掛止具１０が若干移動し、これに伴って各革隆起部１５も若干移動する。これにより、長時間マスク紐用掛止具１０が押し当てられていたその当接部位（例えば“風池のツボ”や“天柱のツボ”など）に対して、適度なツボ押し効果やマッサージ効果が得られる。
【００３９】
その理由は、マスク紐用掛止具１０の使用時において、首の中心線からマスク１１までの距離に比べて、この首の中心線からマスク紐用掛止具１０までの距離が短かく、かつ各耳掛け紐１８がゴム紐であっても、耳掛け紐１８は設定された耳までの距離より過剰に引っ張られた状態でマスク紐用掛止具１０に掛止されることから、上述したように使用者が頭や首を動かすたびに、各耳掛け紐１８を介してマスク紐用掛止具１０がわずかに移動し、これに伴い各革隆起部１４も若干移動するためである。
例えば、革製の編みバンドが単なる髪留めの場合には、頭と髪留めとが首の中心線を中心にして一体的に回動するだけであることから、このような効果は得られない。
【００４０】
また、ここでは、紐掛け具本体１３がマジック編みバンドであるため、一般的な格子編みに比べて、紐掛け具本体１３の裏側に現出した円弧状の革隆起部１５の高さ（厚さ）が高くなる。その結果、マスク紐用掛止具１０の当接部位に対するツボ押し効果やマッサージ効果がより大きくなる。
【００４１】
さらに、紐掛け具本体１３が、前述したように紐掛け具本体１３として好適な厚さ１．５ｍｍの革（ここでは牛革）からなるため、紐掛け具本体１３の略全長にわたる、紐掛け具本体１３の当接部位に対する高いツボ押し効果やマッサージ効果と、１．５ｍｍとある程度の柔らかさを有する革製の編みバンド（ここでは３本マジック編み）の編み易さとを同時に得ることができる。
【００４２】
次に、図５を参照して、本考案の実施例２に係るマスク紐用掛止具を説明する。
図５に示すように、本実施例２に係るマスク紐用掛止具１０Ａの特徴は、紐掛け具本体１３Ａの裏側の各革隆起部１５Ａに、複数のツボ押し突起２０を配設した点と、左右一対の紐掛け部１４Ａの裏側、具体的には固定ピン１７Ａの裏側に、血行促進用の小さな円盤状のマグネット２１を配設した点である。
【００４３】
このように、紐掛け具本体１３Ａの裏側の各革隆起部１５Ａに複数のツボ押し突起２０を配設したため、マスク紐用掛止具１０Ａが押し当てられていた当接部位に対してのツボ押し効果やマッサージ効果がさらに増大する。
また、左右一対の紐掛け部１４Ａの各固定ピン１７Ａの裏側に、血行促進用のマグネット２１を配設したため、磁力の影響により、マスク紐用掛止具１０Ａが押し当てられた当接部位の周辺（例えば“風池のツボ”や“天柱のツボ”など）の血行がさらに促進され、コリや痛みが軽減される。
その他の構成、作用および効果は、実施例１と同様であるため説明を省略する。
【００４４】
次に、図６を参照して、本考案の実施例３に係るマスク紐用掛止具を説明する。
図６に示すように、本実施例３に係るマスク紐用掛止具１０Ｂの特徴は、実施例１のマスク紐用掛止具１０と同一構造のものを、髪留めのバレッタ２２の本体であるヘアクリップ２３の上板２４に取り付けたものである。
これにより、女性はバレッタ２２により髪を留めた状態で、実施例３のマスク紐用掛止具１０Ｂを併用することができる。
その他の構成、作用および効果は、実施例１と同様であるため説明を省略する。
【産業上の利用可能性】
【００４５】
この考案のマスク紐用掛止具は、マスク使用時にマスクの紐を頭部又は首の後ろ側に掛止するものとして有用な技術である。
【符号の説明】
【００４６】
１０，１０Ａ，１０Ｂ  マスク紐用掛止具
１３，１３Ａ  紐掛け具本体
１４，１４Ａ  耳掛け紐
１５，１５Ａ  革隆起部
１６  掛止板片
１７，１７Ａ  固定ピン
１８  耳掛け紐
２０  ツボ押し突起
２１  マグネット
【図１】
0003227749.tif 000003
【図２】
0003227749.tif 000004
【図３】
0003227749.tif 000005
【図４】
0003227749.tif 000006
【図５】
0003227749.tif 000007
【図６】
0003227749.tif 000008